(57)【要約】【解決手段】  放熱板６に設けられた通気孔９を有する支持部材１０と、前記支持部材１０上に設けられたカバー１１と、当該カバー１１内において前記支持部材１０上に載置され前記通気孔９を閉塞する球体１２と、当該球体１２を側方から押圧して前記通気孔９を開くソレノイド１３とを有し、前記通気孔９が前記支持部材１０の中心より前記ソレノイド１３側に偏心して設けられている。【効果】  従来のものに比べて圧力弁８を十分にコンパクトなものとしつつ、且つソレノイドを安定して作動させることができ、この圧力弁８により内鍋３内の圧力を適切に調節することができる。【選択図】          図１
2005058384.tif 000002
【特許請求の範囲】
【請求項１】
外装体（２）内に内鍋（３）を収容し、当該内鍋（３）を加熱手段（４）で加熱するようになし、内鍋（３）の上部開口部を蓋（５）の下面に設けられた放熱板（６）で覆い、当該放熱板（６）に内鍋（３）内の圧力を調節する圧力弁（８）を設けた圧力炊飯ジャー（１）における前記圧力弁（８）において、前記放熱板（６）に設けられた通気孔（９）を有する支持部材（１０）と、前記支持部材（１０）上に設けられたカバー（１１）と、当該カバー（１１）内において前記支持部材（１０）上に載置され前記通気孔（９）を閉塞する球体（１２）と、当該球体（１２）を側方から押圧して前記通気孔（９）を開くソレノイド（１３）とを有し、前記通気孔（９）が前記支持部材（１０）の中心より前記ソレノイド（１３）側に偏心して設けられていることを特徴とする、圧力炊飯ジャーの圧力弁
【発明の詳細な説明】
【技術分野】
【０００１】
本発明は圧力炊飯ジャーにおける、ジャー内部の圧力を調節する圧力弁に関するものであって、圧力炊飯ジャーの蓋の内部にコンパクトに設置できる圧力弁の構造に関するものである。
【背景技術】
【０００２】
図１は圧力炊飯ジャー１を示すものであって、外装体２内に内鍋３が収容され、当該内鍋３を電磁加熱装置などの加熱手段４で加熱し、内鍋３に収容された米と水で炊飯するようになっている。
【０００３】
５は蓋であって、その下面に設けられた放熱板６が内鍋３の上部開口部を覆い、当該放熱板６の周縁に形成されたパッキン７で内鍋３内を気密に保持している。そして前記放熱板６には、内鍋３内の圧力を調節する圧力弁８が設けられている。
【０００４】
従来この種の圧力弁８は、図３に示されるように、前記放熱板６には、その中心に通気孔９を有する支持部材１０が設けられており、当該支持部材１０上に一側部が開いたカバー１１が設けられ、当該カバー１１内において前記支持部材１０上に球体１２が載置され、当該球体１２が前記通気孔９を閉塞ている。
【０００５】
そして前記カバー１１の側方にはソレノイド１３が設けられており、当該ソレノイド１３のロッド１４の先端がダイヤフラム１５を介して前記球体１２を押圧し、球体１２を動かして前記通気孔９を開閉操作するようになっている。
【特許文献１】特開平９−１４０５７１
【発明の開示】
【発明が解決しようとする課題】
【０００６】
この種の圧力炊飯ジャー１においてそのコンパクト化が求められており、その一環として蓋５を薄くすることが必要であり、そのためには圧力弁８もよりコンパクトなものが求められるようになっている。
【０００７】
圧力弁８をコンパクトにするためには、球体１２をより小径のものとする必要があるが、その一方では、ソレノイド１３によって球体１２を揺動させることによって通気孔９を開閉するため、球体１２とカバー１１の内面との間に球体１２が揺動し得るだけの余裕が必要となる。
【０００８】
従来の圧力弁８においては、支持部材１０の中心に通気孔９を形成しているため、ソレノイド１３の反対側に余裕を形成すれば、ソレノイド側にもそれと同等のスペースが形成されることとなり、十分なコンパクト化が図れない。
【０００９】
また図３にも示されるように、球体１２がカバー１１の外周から奥まった位置に設けられることとなるため、当該球体１２を揺動させるためには、ソレノイド１３のロッド１４の先端部を長く突出させる必要があり、ロッド１４が歪んだりその動きが不安定となりがちである。
【００１０】
本発明はかかる事情に鑑みなされたものであって、圧力弁８を十分にコンパクトなものとし、且つソレノイドが安定して作動させることができる圧力弁８の構造を提供することを目的とするものである。
【課題を解決するための手段】
【００１１】
而して本発明は、外装体内に内鍋を収容し、当該内鍋を加熱手段で加熱するようになし、内鍋の上部開口部を蓋の下面に設けられた放熱板で覆い、当該放熱板に内鍋内の圧力を調節する圧力弁を設けた圧力炊飯ジャーにおける前記圧力弁において、前記放熱板に設けられた通気孔を有する支持部材と、前記支持部材上に設けられたカバーと、当該カバー内において前記支持部材上に載置され前記通気孔を閉塞する球体と、当該球体を側方から押圧して前記通気孔を開くソレノイドとを有し、前記通気孔が前記支持部材の中心より前記ソレノイド側に偏心して設けられていることを特徴とするものである。
【００１２】
図２、図４及び図５は本発明の圧力弁８を示すものである。放熱板６には透孔１６が穿設されており、当該透孔１６に形成されたバーリング１７の内側に支持部材１０が嵌合され、パッキン１８で気密にシールされている。
【００１３】
支持部材１０は、放熱板６の下面に当接するフランジ部１９と、前記バーリング１７に嵌合される筒部２０と、当該筒部２０の上部を閉塞する台部２１とよりなっており、その台部２１の中心から前記ソレノイド１３の方向に偏倚した位置に通気孔９が穿設され、その通気孔９の周囲に傾斜を有する支持片２２が突設されている。
【００１４】
カバー１１は、その下部に前記バーリング１７の外側に嵌合する円筒部２３を有しており、当該円筒部２３の上部に水平部２４が形成され、当該水平部２４の内周から前記球体１２を囲むカバー部２５が上方に伸びている。
【００１５】
前記水平部２４の内周は前記支持部材１０の外周に嵌合している。そして水平部２４の複数箇所にスリット２６が形成され、当該スリット２６の内側には水平部２４の内周に沿って橋絡部２７が形成されており、当該橋絡部２７の上方のカバー部２５には窓２８が開いている。
【００１６】
而して円筒部２３を支持部材１０に嵌合するとき、支持部材１０における円筒部２３の橋絡部２７に対応する位置に形成された係合爪２９が、橋絡部２７を押圧してスリット２６に向かって歪ませることにより、係合爪２９が窓２８に嵌合して橋絡部２７に係合することができるようになっている。
【００１７】
そして前記カバー１１のカバー部２５には、前記ソレノイド１３に対向する側に開口部３０が開いており、当該開口部３０からカバー部２５内に球体１２を挿入し、当該球体１２を支持部材１０の台部２１の通気孔９上に載置することにより、当該球体１２によって通気孔９が閉塞されている。
【００１８】
またカバー部２５の側方にはソレノイド１３が設けられており、当該ソレノイド１３を作動させることにより、ロッド１４がダイヤフラム１５を介して開口部３０を通して球体１２を転動させ、通気孔９を開閉するようになっている。
【発明の効果】
【００１９】
本発明においては、常時は球体１２は支持部材１０の台部２１において支持片２２の最下部に位置し、その球体１２によって通気孔９が閉塞されており、圧力炊飯ジャー１の内鍋３内の圧力を高めている。
【００２０】
ここでソレノイド１３を作動させ、ロッド１４を突出させることにより、図２において鎖線で示されるように、当該ロッド１４の先端がダイヤフラム１５を介して球体１２を押圧し、カバー１１内において球体１２を転動させる。これにより球体１２が通気孔９上から移動し、通気孔９が開いて、内鍋３内の蒸気が通気孔９を通じて蓋５内に放出され、さらに蓋５の外部に排出されて内鍋３内の圧力は低下する。またソレノイド１３がロッド１４を後退させれば、球体１２は支持片２２の傾斜面に沿って転動し、再度通気孔９を閉塞する。
【００２１】
而して本発明によれば、図２に示されるように、通気孔９が支持部材１０の台部２１の中心からソレノイド１３の方向に偏倚して形成されているので、ソレノイド１３の反対側において球体１２の転動の余裕を十分に確保しつつ、圧力弁８を大幅にコンパクト化することができる。
【００２２】
特に、カバー１１のソレノイド１３に近い側の構造を小形化できるので、ソレノイド１３を球体１２により接近して設けることができ、球体１２に近付けるためにロッド１４の先端のみを長く突出させる必要がなく、ロッド１４が歪んだりその動きが不安定となることがない。
【００２３】
従って本発明によれば、従来のものに比べて圧力弁８を十分にコンパクトなものとしつつ、且つソレノイドを安定して作動させることができ、この圧力弁８により内鍋３内の圧力を適切に調節することができる。
【００２４】
また図面に示すように、支持部材１０及びカバー１１の形状を基本的に円形とすることにより、それらの部材を容易に加工することができ、また部材相互の結合関係も精度の高いものとなる。
【図面の簡単な説明】
【００２５】
【図１】圧力炊飯ジャーの中央縦断面図
【図２】本発明の圧力弁の中央縦断面図
【図３】従来の圧力弁の中央縦断面図
【図４】図２の圧力弁におけるIV−IV断面図
【図５】図４におけるＶ−Ｖ断面図
【符号の説明】
【００２６】
１  圧力炊飯ジャー
２  外装体
３  内鍋
４  加熱手段
５  蓋
６  放熱板
８  圧力弁
９  通気孔
１０  支持部材
１１  カバー
１２  球体
１３  ソレノイド
【図１】
2005058384.tif 000003
【図２】
2005058384.tif 000004
【図３】
2005058384.tif 000005
【図４】
2005058384.tif 000006
【図５】
2005058384.tif 000007